(57)【要約】【課題】目的地までの移動の間、ＦＭトランスミッタを介して車載スピーカで再生中の音声信号に、混信および途切れが生じないようにする。【解決手段】カーナビ0301にて現地点から目的地までのルートを設定すると、カーナビ0301内のＧＰＳ及び記憶媒体内の地図情報にて現地点及び目的地までのルートが決定され、予め記憶媒体内に登録されている地域別ＦＭ放送周波数情報より、ルート上通過する全地域共通で利用されていないＦＭ放送周波数、あるいはルート上でＦＭトランスミッタの送信周波数の切り替え回数を最小にすることができる周波数の組合せが選定される。そして移動中、この選定された周波数データがＦＭトランスミッタを有する携帯装置0302に送信され、携帯装置0302はこの選定された周波数を用いて再生した音声信号をＦＭ変調し、ＦＭラジオ受信機0305へ送信する。【選択図】図３
2007192564.tif 000002
【特許請求の範囲】
【請求項１】
移動体に搭載されたナビゲーションシステムにおいて、
前記移動体の位置を検出する位置検出手段と、
ＦＭ放送局が各エリアにおいて使用している放送周波数のデータを記憶する放送周波数データ記憶手段と、
前記移動体の移動予定経路を入力する予定経路入力手段と、
入力された移動予定経路に基づき前記放送周波数データ記憶手段を参照して前記移動予定経路に沿った各エリア内で使用されていない前記放送周波数を抽出する未使用周波数抽出手段と、
前記未使用周波数抽出手段により抽出された前記各エリア内における未使用周波数の中から、前記移動予定経路に沿って移動したときにＦＭトランスミッタの送信周波数の切換回数を最小にすることができる未使用周波数の組合せを、前記ＦＭトランスミッタの送信周波数として前記移動予定経路に沿った各エリアに対して選定する送信周波数選定手段と、
前記送信周波数選定手段により選定された送信周波数を前記各エリアと対応させて記憶する送信周波数記憶手段と、
移動中に前記位置検出手段により前記移動予定経路に沿ったエリアが検出されたとき、当該エリアに対応する前記送信周波数情報を、前記送信周波数記憶手段から読み出してＦＭトランスミッタを有する携帯装置に送信する通信手段と、
を備えていることを特徴とするナビゲーションシステム。
【請求項２】
前記送信周波数選定手段は、前記移動予定経路に沿って移動したときにＦＭトランスミッタの送信周波数の切換回数を最小にすることができる未使用周波数の組合せが複数存在するときには、そのうちの一つの組合せを前記ＦＭトランスミッタの送信周波数として前記移動予定経路に沿った各エリアに対して選定することを特徴とする請求項１に記載のナビゲーションシステム。
【請求項３】
前記未使用周波数抽出手段は、前記移動予定経路に隣接するエリア内で使用されていない前記放送周波数を抽出する手段を有しており、
前記送信周波数選定手段は、前記移動予定経路に沿って移動したときにＦＭトランスミッタの送信周波数の切換回数を最小にすることができる未使用周波数の組合せが複数存在するときには、前記移動予定経路に隣接するエリア内で使用されていない放送周波数を最も多く含む組合せを優先的に選定することを特徴とする請求項２に記載のナビゲーションシステム。
【請求項４】
前記送信周波数選定手段は、前記未使用周波数抽出手段により抽出された前記各エリア内における未使用周波数の中に、前記移動予定経路に沿う全てのエリアにおいて使用されていない共通の未使用周波数が存在するときには、当該未使用周波数を前記ＦＭトランスミッタの送信周波数として前記全てのエリアに対して選定することを特徴とする請求項１に記載のナビゲーションシステム。
【請求項５】
前記送信周波数選定手段は、前記移動予定経路に沿う全てのエリアにおいて使用されていない共通の未使用周波数が複数存在するときには、そのうちの一つを前記ＦＭトランスミッタの送信周波数として前記全てのエリアに対して選定することを特徴とする請求項４に記載のナビゲーションシステム。
【請求項６】
前記未使用周波数抽出手段は、前記移動予定経路に隣接するエリア内で使用されていない前記放送周波数を抽出する手段を有しており、
前記送信周波数選定手段は、前記移動予定経路に沿う全てのエリアにおいて使用されていない共通の未使用周波数が複数存在するときには、それらの未使用周波数の中で前記移動予定経路に隣接するエリア内での使用が最も少ない放送周波数を優先的に選定することを特徴とする請求項５に記載のナビゲーションシステム。
【請求項７】
請求項１〜６のいずれか１項に記載のナビゲーションシステムから送信された前記送信周波数情報を受信する通信手段と、再生したオーディオ信号を、前記受信した送信周波数情報により指示された送信周波数を用いてＦＭ信号に変換して送信するＦＭトランスミッタを有していることを特徴とする携帯機器。
【請求項８】
請求項１〜６のいずれか１項に記載のナビゲーションシステムから送信された前記送信周波数情報を受信する通信手段と、再生したオーディオ信号を、前記受信した送信周波数情報により指示された送信周波数を用いてＦＭ信号に変換して送信するＦＭトランスミッタと、を有する携帯機器と、
前記ナビゲーションシステムによりその受信周波数が制御されるとともに、前記ＦＭトランスミッタから送信された前記ＦＭ信号を受信し、前記オーディオ信号を再生して出力するＦＭラジオ受信機およびスピーカと、
を備えていることを特徴とする、オーディオ信号再生システム。
【発明の詳細な説明】
【技術分野】
【０００１】
本発明は、携帯電話機、ポータブルミュージックプレイヤー等における、音声出力あるいは再生音楽を、ＦＭトランスミッタを介して自動車等の移動体に搭載されたＦＭラジオ受信機で受信することにより移動体に搭載されたスピーカから出力する技術に関し、特に、そのエリア内で放送されているＦＭ放送との混信を回避する技術に関する。
【背景技術】
【０００２】
自動車を運転中の携帯電話の使用は非常に危険であり、平成１６年１１月１日には、道路交通法も一部が改正され罰則が科せられるようになった。このような運転中の携帯電話の使用の対応策として、イヤホンマイク等を利用したハンズフリーグッズがある。そういったハンズフリーグッズの中に、通話時の音声をＦＭトランスミッタで送信し、自動車に搭載されたＦＭラジオ受信機で受信した受話音声を車載スピーカから出力することにより運転中の通話を可能とする技術が例えば特許文献１に記載されている。
【０００３】
また近年、オーディオ圧縮技術やメモリの大容量化技術などの発達により、大量の音楽を記録できるポータブルミュージックプレイヤーが普及している。こういったポータブルミュージックプレイヤーは普段、ヘッドフォンやイヤホンで聴くことが多いが、車中などでは既存の車載スピーカから再生したいという要望も多い。このような場合に、ポータブルミュージックプレイヤーと車載オーディオをつなぐ方法として様々な手段があるが、その中のひとつとしてＦＭトランスミッタを用いる方法が例えば特許文献２に記載されている。
【０００４】
また最近の携帯電話機には様々な機能が付加されており、多くの携帯電話機では音楽再生も可能となり、ポータブルミュージックプレイヤーとしても使えるようになっている。このような携帯電話機の中にも、ＦＭトランスミッタ機能を搭載したものがあり、複雑な配線を必要とすることなく車載スピーカから音楽再生を可能にすることにより、車載スピーカを利用した音質のよい音楽聴取を可能にしている。
【０００５】
また特許文献３には、車載ＴＶ用の受信システムにおいて、受信されたＴＶ放送波に含まれる音声信号を、ＦＭトランスミッタを用いてＦＭ信号に変調して送信し、このＦＭ信号を車載ＦＭラジオ受信機で受信することにより、車載スピーカからＴＶ放送波に含まれる受信音声信号を出力する技術が記載されている。
【０００６】
このようにＦＭトランスミッタは、受話音声、再生音楽等を、ＦＭ放送周波数帯を使って微弱電波で送信する装置として様々な用途に用いられており、このＦＭトランスミッタから送信された電波を車載ＦＭラジオ受信機で受信することにより、車載スピーカで携帯電話の受話音声、あるいはポータブルミュージックプレイヤーの音楽等を聴くことが可能になる。ＦＭトランスミッタは複雑な配線が不要な上に、ＦＭ放送が受信可能なラジオさえあればよいので非常に利便性が高い。
【０００７】
しかし、ＦＭトランスミッタの送信電波は、車載のＦＭラジオ受信機で受信される帯域と同じ周波数帯域を使用する必要がある関係上、運転中の車内で使用しているＦＭトランスミッタの送信電波の周波数と、自動車が位置しているエリアにおけるＦＭ放送の周波数とが一致した場合には混信が生ずる。
【０００８】
この混信を防止するために、例えば特許文献２では、オーディオ機器からのオーディオ信号をＦＭ放送帯のＦＭ信号に変換して送信する送信回路と、ＦＭラジオの放送周波数を受信する受信回路と、上記送信回路の送信周波数および上記受信回路の受信周波数を制御する制御回路とを有し、上記制御回路により上記受信回路の受信周波数を設定して上記ＦＭ放送帯における空き周波数（その地域で受信できないＦＭ放送の周波数）を検出し、この検出した周波数をＦＭトランスミッタの送信周波数に自動設定している。
【０００９】
また、特許文献３では、車両の位置を検出するために人工衛星を利用した全地球測位システム：ＧＰＳ（Global Positioning System）を利用したカーナビゲーションシステム（以下カーナビと略記する）を搭載するとともに、エリア毎にＦＭ放送として使用中または未使用の放送周波数データを記憶するデータメモリを備え、カーナビから得られた車両の位置情報から、当該地域におけるＦＭトランスミッタ送信部のワイヤレス送信に使用可能な周波数を、前記メモリを検索して読み出し、該読み出した周波数をＦＭトランスミッタの送信周波数として自動設定している。
【００１０】
その際特許文献３では、ＦＭトランスミッタ送信周波数設定手段は、予定経路入力手段を用いて車両の移動予定経路が入力されたとき、前記メモリを参照して移動予定系路上の各エリアにおける未使用周波数をＦＭトランスミッタの送信周波数として予め設定登録しておき、カーナビにより車両が各エリアに入ったことが検出されたときにＦＭトランスミッタの送信周波数を当該エリアに設定登録されている周波数に自動的に切り替えることにより、各エリアにおけるＦＭ放送局との混信を生じることなく、ＦＭトランスミッタから車載ＦＭラジオへのワイヤレス送信を良好に行えるようにしている。
【００１１】
【特許文献１】実開平６−３１２４２号公報
【特許文献２】特開平１１−１２２１２９号公報
【特許文献３】特開平８−６５１８８号公報
【発明の開示】
【発明が解決しようとする課題】
【００１２】
特許文献２に記載の発明では、車載スピーカからポータブルミュージックプレイヤーの再生音楽を出力する際には、ＦＭ放送波との混信を防止するために、最初に受信回路によりＦＭラジオ周波数の空き周波数を検出するための操作を行わなければならず、また、車が移動してそれまで空き周波数であったＦＭトランスミッタで使用中の送信周波数が、ＦＭ放送周波数と一致した場合には、その時点から混信状態となるため、再度空き周波数を検出するための上記動作を実行させなければならないという問題があり、送信周波数切り替えに時間がかかり、その間、再生中の音楽が途切れることがある。また、使用可能な周波数を特定するために要する消費電力が大きくなるという問題がある。
【００１３】
一方、特許文献３に記載の発明では、車両に最近広く搭載されているカーナビから得られる車両の位置情報を利用し、エリア毎にＦＭ放送として使用中または未使用の放送周波数データを記憶するメモリから、当該エリアにおけるＦＭトランスミッタ送信部のワイヤレス送信に使用可能な周波数を読み出し、該読み出した周波数をＦＭトランスミッタの送信周波数として自動設定しているので、空き周波数を検出するためのＦＭ放送受信動作を行う必要はなく、該動作に伴う電力の消費は節約することができる。
【００１４】
また、特許文献３に記載の発明では、予定経路入力手段を用いて車両の移動予定経路を入力すれば、移動予定系路上の各エリアにおけるＦＭトランスミッタの送信周波数が予め設定登録され、カーナビにより各エリアに入ったことが検出されたときにＦＭトランスミッタの送信周波数が当該エリアに設定登録されている周波数に自動的に切り替えられるので、目的地までの移動の間、再生中の音楽又は通話中の音声の途切れは送信周波数切り替え時の極めて僅かの時間であって、車載スピーカによる音楽等の聴取に対する影響は少ないが、車両の位置する上記エリアが切り替わってＦＭトランスミッタの送信周波数が当該エリアに設定登録されている周波数に切り替わる時点では、僅かではあるが再生中の音楽又は通話中の音声に途切れが生じるという問題がある。
【００１５】
本発明の目的は、移動予定系路上の各エリアにおけるＦＭトランスミッタの送信周波数を予め設定登録するシステムにおける上記問題点に鑑み、目的地までの移動の間、車載スピーカから再生中の音楽又は通話中の音声の途切れを生じない、あるいは該再生中の音楽又は通話中の音声の途切れを可及的に減らすことにより、車載スピーカによる再生中の音楽等の快適な聴取を可能にする手段を提供することにある。
【課題を解決するための手段】
【００１６】
本発明の移動体に搭載されたナビゲーションシステムは、該移動体の位置を検出する位置検出手段と、ＦＭ放送局が各エリアにおいて使用している放送周波数のデータを記憶する放送周波数データ記憶手段と、移動体の移動予定経路を入力する予定経路入力手段と、入力された移動予定経路に基づき前記放送周波数データ記憶手段を参照して前記移動予定経路に沿った各エリア内で使用されていない前記放送周波数を抽出する未使用周波数抽出手段と、該未使用周波数抽出手段により抽出された前記各エリア内における未使用周波数の中から、前記移動予定経路に沿って移動したときにＦＭトランスミッタの送信周波数の切換回数を最小にすることができる未使用周波数の組合せを、前記ＦＭトランスミッタの送信周波数として前記移動予定経路に沿った各エリアに対して選定する送信周波数選定手段と、該送信周波数選定手段により選定された送信周波数を前記各エリアと対応させて記憶する送信周波数記憶手段と、移動中に前記位置検出手段により前記移動予定経路に沿ったエリアが検出されたとき、当該エリアに対応する前記送信周波数情報を、前記送信周波数記憶手段から読み出してＦＭトランスミッタを有する携帯装置に送信する通信手段と、を備えることにより、ＦＭトランスミッタを有する携帯装置とＦＭ放送との混信を回避するとともに、再生音声の途切れを可及的に減らしたことを特徴としている。
【００１７】
またその際、前記未使用周波数抽出手段により抽出された前記各エリア内における未使用周波数の中に、前記移動予定経路に沿う全てのエリアにおいて共通の未使用周波数が存在するときには、前記送信周波数選定手段は、当該未使用周波数を前記ＦＭトランスミッタの送信周波数として前記全てのエリアに対して選定することにより、前記移動予定経路におけるＦＭトランスミッタの送信周波数の切り替えを行わないようにすることにより、再生音声の途切れを生じないようにすることができる。
【００１８】
さらに、前記未使用周波数抽出手段により、前記移動予定経路に隣接するエリア内で使用されていない前記放送周波数も抽出し、前記移動予定経路に沿って移動したときにＦＭトランスミッタの送信周波数の切換回数を最小にすることができる未使用周波数の組合せが複数存在するときには、あるいは前記移動予定経路に沿う全てのエリアにおいて使用されていない共通の未使用周波数が複数存在するときには、隣接するエリア内で使用されていない放送周波数を最も多く含む組合せ、あるいは隣接するエリア内での使用が最も少ない放送周波数を優先的に選定することにより、近隣地域からのＦＭ放送電波の影響も回避することが可能となる。
【００１９】
また、本発明のポータブルミュージックプレイヤーあるいは携帯電話機等の携帯機器は、前記ナビゲーションシステムから送信された前記送信周波数情報を受信する通信手段と、再生したオーディオ信号を、前記受信した送信周波数情報により指示された送信周波数を用いてＦＭ信号に変換して送信するＦＭトランスミッタを有していることを特徴としている。
【００２０】
また、本発明のオーディオ信号再生システムは、前記ナビゲーションシステムから送信された前記送信周波数情報を受信する通信手段と、再生出力されたオーディオ信号を、前記受信した送信周波数情報により指示された送信周波数を用いてＦＭ信号に変換して送信するＦＭトランスミッタと、を有する携帯機器と、前記ナビゲーションシステムによりその受信周波数が制御されるとともに、前記ＦＭトランスミッタから送信された前記ＦＭ信号を受信して前記オーディオ信号を再生出力するＦＭラジオ受信機およびスピーカと、を備えていることを特徴とする。
【００２１】
本発明によれば、移動体（自動車）が移動予定経路を移動中に、携帯機器で再生出力されたオーディオ信号を、ＦＭトランスミッタを介して移動体に搭載されているＦＭラジオ受信機およびスピーカにより聴取する場合、ＦＭトランスミッタの送信周波数が切り替わる回数を零あるいは最小限に抑えることができるので、車載スピーカから途切れのないあるいは途切れを最小限に抑えた再生音楽を出力することができる。
【発明の効果】
【００２２】
本発明によれば、移動開始前に、現在地から目的地までの間におけるＦＭ放送周波数の使用状況から、移動予定経路に沿って移動したときにＦＭトランスミッタの送信周波数の切換回数を最小にすることができる未使用周波数の組合せ、あるいは前記移動予定経路に沿う全てのエリアにおいて使用されていない共通の未使用周波数を検出して設定することができるので、混信を防止するとともに、目的地までの移動の間、再生中の音楽又は通話中の音声の途切れを最小限に抑え、あるいは途切れさせること無く、快適なドライブを提供することができる。
【発明を実施するための最良の形態】
【００２３】
図１は、本発明で使用されるＦＭトランスミッタを有する携帯装置を、携帯電話機として実現したブロック図であり、図２は、本発明の実施形態を示すカーナビゲーションシステムのブロック図であり、図３は、本発明の実施例を示す概略図である。
【００２４】
本発明よるカーナビは、通常のカーナビと同様、人工衛星を利用した全地球測位システム（ＧＰＳ）にて現地点での経度・緯度の座標情報を入手し、ＣＤ−ＲＯＭ、ＤＶＤ−ＲＯＭ、Hard-Disk（ＨＤ）等の記憶媒体内の地図情報から現在の地域を特定する。そのためカーナビ0213には、自動車の現在の位置情報をＧＰＳにて把握するためのＧＰＳ用アンテナ0201およびＧＰＳ受信機0204、渋滞などの道路交通情報をＶＩＣＳ（Vehicle Information and Communication System）にて入手するためのＶＩＣＳ用アンテナ0202およびＶＩＣＳ受信機0206、目的地までのルートを表示するためのディスプレイ表示部0208、ルートを音声にて案内するための音声出力部0209、カーナビゲーションを利用者が操作するためキー操作部0210等が備えられている。
【００２５】
また、記憶媒体（ＣＤ、ＤＶＤ、ＨＤ等）0211には、地図情報、および本発明と関連する地域別のＦＭ放送周波数情報が格納されており、特定した地域と予め記憶媒体内に登録されている地域別ＦＭ放送周波数情報より現在の地域で利用されていないＦＭ放送周波数を特定し、IrDAやBluetoothなどの通信手段を用いて、ＦＭトランスミッタを有する携帯装置0112に特定したＦＭ周波数にて送信するようデータを伝送する。これにより携帯装置0112に内蔵のＦＭトランスミッタは自動的に現地域で利用されていないＦＭ周波数で送信する為、混信を回避することが可能となる。
【００２６】
そのため、本実施形態で用いられるカーナビシステム0213には、ＦＭトランスミッタを有する携帯電話機0112との間でIrDAやBluetoothなどによって近距離通信を行うための手段としての、近距離通信用アンテナ0203および近距離通信用無線部0207と、ＦＭラジオ受信機0305とケーブル0307を通じて接続される外部インターフェース0214が備えられている。
【００２７】
図４〜図５は、現在の地域（ア）において、移動予定ルートを設定しないでＦＭトランスミッタを使用することが指示された場合の動作説明図であり、図１１は、その場合のカーナビゲーション制御部0205の動作フローチャートである。
【００２８】
カーナビ0213（0301）のキー操作部0210を通じて本システムが起動されると、カーナビ制御部0205は、ＧＰＳ用アンテナ0201、ＧＰＳ受信機0204を介して現在の座標位置情報（経度・緯度）を入手するとともに、記憶媒体（ＣＤ、ＤＶＤ、ＨＤ等）0211より地図情報をメモリ部0212に読み出す。カーナビ制御部0205は、入手した座標位置情報と読み出した地図情報より現在の地域（ア）を特定する。
【００２９】
更に、カーナビ制御部0205は、記憶媒体0211に予め登録されている地域別ＦＭ放送周波数情報をメモリ部0212に読み出す。カーナビ制御部0205は、現在の地域（ア）で利用されていないＦＭ放送周波数を先に読み出した地域別ＦＭ放送周波数情報から特定する。特定された周波数が２つ以上だった場合、カーナビ制御部0205は例えばランダムにその内から１つの周波数を選定する。続いてカーナビ制御部0205は、近距離通信（IrDA or Bluetooth）用無線部0207及び近距離通信用アンテナ0203を介して、特定された周波数にて送信するよう、携帯装置0112（0302）に送信周波数データを伝送する。また同時に、外部インターフェース0214、ケーブル0307を通じて、ＦＭラジオの受信周波数を特定されたＦＭ周波数に切り替えるよう制御する。
【００３０】
携帯電話制御部0107は、近距離通信（IrDA or Bluetooth）用アンテナ0102及び近距離通信用無線部0105を介してカーナビ0213（0301）から受信した送信周波数データを基に、ＦＭトランスミッタ制御部0108に対しその周波数にて送信するよう制御し、ＦＭトランスミッタ無線部0106及びＦＭトランスミッタ用アンテナを介して、特定されたＦＭ周波数で音楽及び音声データをＦＭラジオ受信機0305に送信する。ＦＭラジオ用アンテナ0304を介して受信された音楽及び音声データは、ＦＭラジオ受信機0305内の復調器によって音楽及び音声に変換され、自動車0308の車載スピーカ0306にて再生される。
【００３１】
またその際、現地域（ア）に加え、その近隣地域（イ）〜（オ）についても利用されていないＦＭ周波数を検索対象とすることができる。即ち、カーナビ制御部0205は、現地域（ア）で利用されていない周波数を特定後、引き続き現地域（ア）の近隣地域を記憶媒体0211より読み出した地図情報より検索する。検出された近隣地域（イ）〜（オ）についても、現地域（ア）同様、地域別ＦＭ放送周波数情報から地域毎の利用されていない周波数を検出し、リストアップする。
【００３２】
図５の（各地域別ＦＭ放送周波数の利用状況マトリクスその１）に示すように、現地域（ア）では、７７．０ＭＨｚ、７７．１ＭＨｚおよび８２．４ＭＨｚ以外の周波数はＦＭトランスミッタ送信周波数として選定可能であるが、現地域及び近隣地域の全ての地域（ア）〜（オ）にて利用されていないＦＭ周波数は、７７．３ＭＨｚと８２．１ＭＨｚであるので、この２つの周波数が選定対象となる。このように現地域及び近隣地域の全ての地域で利用されていない周波数が複数ある場合は、検索地域が現地域だけのときと同じように、適用と判断された複数の周波数の中から１つの周波数をランダムに決定し、近距離通信用無線部0207及び近距離通信用アンテナ0203を介して、ＦＭトランスミッタ送信周波数データを、携帯装置0112（0302）に伝送する。
【００３３】
これにより、現地域（ア）で利用されているＦＭ放送周波数はもちろんこと、近隣地域（イ）〜（オ）で放送されているＦＭ放送周波数まで除外した周波数で、ＦＭトランスミッタは送信していることから、近隣地域（イ）〜（オ）のＦＭ放送電波がたまたま現地域（ア）まで届いてしまった場合でも、混信を回避することが可能となる。
【００３４】
次に図１１のフローチャートを用いて、移動予定ルートを設定しないでＦＭトランスミッタを使用することが指示された場合の動作を説明する。
【００３５】
本発明利用者がカーナビ0213のキー操作部0210を用いて本システムを起動（S 1101）すると、カーナビ制御部0205は、ＧＰＳアンテナ0201及びＧＰＳ受信機0204を介して現在の座標情報（経度・緯度）を入手する（S 1102）とともに、記憶媒体（ＣＤ、ＤＶＤ、ＨＤ）0211内の地図情報をメモリ部0212より読み出し（S 1103）、入手した座標情報と地図情報より現在の場所（ア）を特定する（S 1104）。続いて、記憶媒体0211内に予め登録されている地域別ＦＭ放送周波数情報をメモリ部0212に読み出す（S 1105）。
【００３６】
次にカーナビ制御部0205は、現在の場所（ア）で利用されていないＦＭ周波数を地域別ＦＭ放送周波数情報より特定する（S 1106）。更に近隣地域も対象となっているか確認する（S 1107）。近隣地域を検索の対象とするか否かは、利用者が任意に設定できるものとする。近隣地域が検索対象となっていなかった場合（S 1107でNO）は、ステップ1110に移行する。近隣地域も検索の対象となっていた場合（S 1107でYES）は、現在の場所（ア）から、地図情報を利用して近隣地域（イ）〜（オ）を特定し、地域別ＦＭ放送周波数情報から、近隣地域（イ）〜（オ）にて利用されていないＦＭ周波数をリストアップする（S 1108）。
【００３７】
そしてステップ1106で特定した現在の場所（ア）で利用されていない周波数且つ近隣地域（イ）〜（オ）の全地域で利用されていない周波数を特定する（S 1109）。続いて特定された周波数の候補が２つ以上あるか確認する（S 1110）。１つであった場合（S 1110でNO）は、その周波数で音楽及び音声データを送信するよう携帯装置0302に近距離通信手段（IrDA、Bluetooth）を使って伝送（S 1112）し、２つ以上であった場合（S 1110でYES）は候補の周波数より１つをランダムに決定し（S 1111）、その周波数で音楽及び音声データを送信するよう携帯装置0302に伝送する（S 1112）。携帯装置0302は、送信周波数データを受信後、その周波数にてＦＭトランスミッタを送信するよう動作する（S 1113）。
【００３８】
図６〜図１０は、本発明の実施形態である、現在地から目的地までの移動予定ルートを設定してＦＭトランスミッタを使用することが指示された場合の動作説明図であり、図１２〜図１４は、その場合のカーナビゲーション制御部0205の動作フローチャートである。ＦＭトランスミッタを有する携帯装置、カーナビゲ、およびシステムの全体構成については、図１〜図３に示す構成を用いる。
【００３９】
本発明の実施形態では、カーナビにて現地点から目的地までのルートを設定した場合、前記と同様にＧＰＳ及び記憶媒体内の地図情報にて現地点を特定し、更に目的地までのルートを地図情報にて決定すると、予め記憶媒体内に登録されている地域別ＦＭ放送周波数情報より、ルート上通過する各地域で利用されていないＦＭ放送周波数を検索する。その後、通過する全地域共通で利用されていないＦＭ放送周波数、あるいはルート上でＦＭトランスミッタの送信周波数の切り替え回数を最小にすることができる周波数の組合せを特定し、IrDAやBluetoothなどの通信手段を用いて、ＦＭトランスミッタを有する携帯装置に、特定したＦＭ周波数にて送信するようデータを伝送する。
【００４０】
利用者は、本発明を有するカーナビ0213（0301）のキー操作部0210を用いて本システムを起動し、現在地0601から目的地0602までの移動予定ルートを設定するために、目的地0602、続いて有料道路の使用・未使用や経由場所等の目的地0602までのルート条件を入力する。
【００４１】
本発明によるカーナビ制御部0205は、本システムが起動されると、ＧＰＳ用アンテナ0201、ＧＰＳ受信機0204を介して現在の座標位置情報（経度・緯度）を入手するとともに、記憶媒体（ＣＤ、ＤＶＤ、ＨＤ）0211より地図情報をメモリ部0212に読み出し、入手した座標位置情報と読み出した地図情報より現在の場所を特定する。更に、利用者によって入力されたルート条件を基に、現在の場所から目的地までのルート0603を、地図情報を用いて決定する。続いて決定されたルート0603上に存在する交差点や建造物等より、地図情報を用いて目的地到着までの間に通過する地域Ａ〜Ｇを特定する（図６）。
【００４２】
次にカーナビ制御部0205は、記憶媒体0211より、地域別ＦＭ放送周波数情報をメモリ部0212に読み出し、各通過地域Ａ〜Ｇにて利用されていないＦＭ放送周波数をリストアップし、図７の（各地域別ＦＭ放送周波数の利用状況マトリクスその２）に示すように、通過する全地域にて利用されていないＦＭ放送周波数（図７では、７７．３ＭＨｚと８２．１ＭＨｚ）を選別する。この時、選別された周波数が２つ以上だった場合、カーナビ制御部0205はランダムにその内から一つの周波数を選定する。
【００４３】
従って、本実施形態によれば、ルート0603上を移動中、ＦＭトランスミッタの送信周波数を一つの周波数（図７の場合、７７．３ＭＨｚまたは８２．１ＭＨｚ）に固定することができ、移動中にＦＭトランスミッタの送信周波数を切り替える必要がないので、携帯装置で再生された音楽等を車載スピーカにより聴取しながらルート0603上を移動している間、車載スピーカから途切れのない再生音楽を、混信を生ずることなく出力することができ、利用者に快適な音響環境を提供することができる。
【００４４】
また、各通過地域Ａ〜Ｇの全地域にて共通して利用されていない周波数が存在しなかった場合は、図１０の（各地域別ＦＭ放送周波数の利用状況マトリクスその４）に示すように、現在地0601から目的地0602の間で、ＦＭトランスミッタの送信周波数として使用するときに切り替え回数が最小となるような周波数の組み合わせ（図１０では、７７．３ＭＨｚと８２．１ＭＨｚ）を選別する。従って、図１０の例では、通過地域Ａ〜Ｄの間ではＦＭ周波数８２．１ＭＨｚを使用し、通過地域Ｄで７７．３ＭＨｚに周波数を切り替え、通過地域Ｄ〜Ｇの間では７７．３ＭＨｚを使用するように制御される。この場合、使用する周波数は２つで済み、ルート0603上を移動中、ＦＭトランスミッタの送信周波数の切り替えを最小限（１回）に抑えることができる。
【００４５】
切り替える周波数が最小となる組み合わせが複数あった場合は、前記同様、カーナビ制御部0205はランダムに１つの組み合わせを選択する。周波数が特定された後、カーナビ制御部0205は前記と同様に、近距離通信（IrDA or Bluetooth）用無線部0207及び近距離通信用アンテナ0203を介して、特定された周波数にて送信するよう、携帯装置0112（0302）に送信周波数データを伝送する。また同時に、外部インターフェース0214、ケーブル0307を通じて、ＦＭラジオ受信機0305の受信周波数を特定されたＦＭ周波数に切り替えるよう制御する。また、運転する車が通過地域Ｄに至った際に、携帯装置0112（0302）に第２の送信周波数データを伝送し、外部インターフェース0214、ケーブル0307を通じて、ＦＭラジオ受信機0305の受信周波数を特定された第２のＦＭ周波数に切り替えるよう制御する。
【００４６】
携帯電話制御部0107は、近距離通信（IrDA or Bluetooth）用アンテナ0102及び近距離通信用無線部0105を介してカーナビ0213から受信した送信周波数データを基に、ＦＭトランスミッタ制御部0108に対しその周波数にて送信するよう制御し、ＦＭトランスミッタ無線部0106及びＦＭトランスミッタ用アンテナ0103を介して、特定されたＦＭ周波数で音楽及び音声データをＦＭラジオ受信機0305に送信する。ＦＭラジオ用アンテナ0304を介して受信された音楽及び音声データは、ＦＭラジオ受信機0305内の復調器によって音楽及び音声に変換され、自動車0308の車載スピーカ0306にて再生される。
【００４７】
またその際、ルート0603上を通過する地域Ａ〜Ｇに加え、その近隣地域Ｈ〜Ｊについても利用されていないＦＭ周波数を検索対象とすることができる。即ち、カーナビ制御部0205は、通過地域Ａ〜Ｇで利用されていない周波数を特定後、引き続き通過地域Ａ〜Ｇの近隣地域を記憶媒体0211より読み出した地図情報より検索する。検出された近隣地域Ｈ〜Ｊについても、通過地域Ａ〜Ｇ同様、地域別ＦＭ放送周波数情報から地域毎の利用されていない周波数を検出し、リストアップする。
【００４８】
図９の（各地域別ＦＭ放送周波数の利用状況マトリクスその３）に示すように、通過地域及びその近隣地域の全ての地域Ａ〜Ｊにて利用されていないＦＭ周波数を選別する。利用されていない周波数及び周波数の組み合わせが複数だった場合は、検索地域がルート上の通過地域だけのときと同じように、適用と判断された複数の周波数の中から１つの周波数（１つの組み合わせ）をランダムに決定し、通信手段無線部0207及び通信手段アンテナ0203を介して、ＦＭトランスミッタ送信周波数データを、携帯装置0112（0302）に伝送する。
【００４９】
これにより、ルート0603上の通過地域Ａ〜Ｇで利用されているＦＭ放送周波数はもちろんこと、近隣地域Ｈ〜Ｊで利用されているＦＭ放送周波数まで除外した周波数（図９では、７７．３ＭＨｚ）を、ＦＭトランスミッタの送信周波数として設定することができるから、近隣地域Ｈ〜ＪのＦＭ放送電波がたまたま通過地域Ａ〜Ｇまで届いてしまった場合でも、混信を回避することが可能となる。
【００５０】
次に図１２〜図１４のフローチャートを用いて、現在地から目的地までの移動予定ルートを設定してＦＭトランスミッタを使用することが指示された場合の動作を説明する。
【００５１】
本発明利用者がカーナビ0213のキー操作部0210を用いて本システムを起動し（S 1201）、続いて目的地及び優先道路や経由地点等のルート条件を入力する（S 1202）。すると本発明によるカーナビ制御部0205は、ＧＰＳアンテナ0201及びＧＰＳ受信機0204を介して現在の座標情報（経度・緯度）を入手する（S 1203）とともに、記憶媒体（ＣＤ、ＤＶＤ、ＨＤ）0211内の地図情報をメモリ部0212より読み出し（S 1204）、入手した座標情報と地図情報より現在の場所0601を特定し、更に目的地及び目的地0602までのルート0603を決定する（S 1205）。
【００５２】
次に、目的地までのルート0603上に存在する交差点や建造物等より、地図情報を用いて通過地域Ａ〜Ｇを特定する（S 1206）。カーナビ制御部0205は、記憶媒体0211内に予め登録されている地域別ＦＭ放送周波数情報をメモリ部0212に読み出す（S 1207）。カーナビ制御部0205は、目的地までのルート0603上の通過地域Ａ〜Ｇで利用されていないＦＭ周波数を地域別ＦＭ放送周波数情報よりリストアップする（S 1208）。更にルート0603の近隣地域も対象となっているか確認する（S 1209）。
【００５３】
近隣地域を検索の対象とするか否かは、利用者が任意に設定できるものとする。近隣地域が検索対象となっていなかった場合（S 1209でNO）は、ステップ1210に移行する。近隣地域も検索の対象となっていた場合（S 1209でYES）は、ステップ1206で特定した通過地域Ａ〜Ｇの情報から、地図情報を利用して近隣地域Ｈ〜Ｊを特定し、更に地域別ＦＭ放送周波数情報から、近隣地域Ｈ〜Ｊにて利用されていないＦＭ周波数をリストアップする（S 1216）。ステップ1208でリストアップした通過地域Ａ〜Ｇで利用されていない周波数であって且つ近隣地域Ｈ〜Ｊの全地域で利用されていない周波数を特定する（S 1217）。
【００５４】
続いてルート上の通過する及び近隣の全地域Ａ〜Ｊにおいて、利用されていない共通の周波数があるかどうかの判定を行う（S 1210）。全地域Ａ〜Ｊで利用されていない共通の周波数が存在した場合は、ステップ1213に移行する（S 1210でYES）。共通の周波数が存在しなかった場合（S 1210でNO）は、図１０で示した各地域別ＦＭ放送周波数その４のように、全地域Ａ〜Ｇにて周波数の切り替えが最小となるような周波数の組み合わせを検索する（S 1211）。
【００５５】
次に、検索された周波数及び周波数の組み合わせの候補が２つ以上あるか確認する（S 1213）。１つであった場合（S 1213でNO）は、その周波数で音楽及び音声データを送信するよう携帯装置0302に近距離通信手段（IrDA、Bluetooth）を使って伝送し（S 1214）、２つ以上であった場合（S 1213でYES）は候補の周波数（周波数の組み合わせ）より１つをランダムに決定し、その周波数で音楽及び音声データを送信するよう携帯装置0302に伝送する（S 1214）。携帯装置0302は、送信周波数データを受信後、その周波数にてＦＭトランスミッタにより送信するように動作する（S 1215）。
【図面の簡単な説明】
【００５６】
【図１】本発明で使用されるＦＭトランスミッタを有する携帯電話機のブロック図である。
【図２】本発明の実施形態を示すカーナビゲーションシステムのブロック図である。
【図３】本発明の実施例を示す概略図である。
【図４】本発明が適用されるカーナビゲーションシステムの動作例を示す説明図である。
【図５】図４に示す動作例を説明するための各地域別ＦＭ放送周波数の利用状況マトリクスである。
【図６】本発明の第１の実施形態の動作例を示す説明図である。
【図７】第１の実施形態の動作例を説明するための各地域別ＦＭ放送周波数の利用状況マトリクスである。
【図８】本発明の第２の実施形態の動作例を示す説明図である。
【図９】第１の実施形態の動作例を説明するための各地域別ＦＭ放送周波数の利用状況マトリクスである。
【図１０】第１の実施形態の他の動作例を説明するための各地域別ＦＭ放送周波数の利用状況マトリクスである。
【図１１】図４〜図５に示す動作を説明するフローチャートである。
【図１２】図６〜図１０に示す本実施形態の動作を説明するフローチャートである。
【図１３】図６〜図１０に示す本実施形態の動作を説明するフローチャートである。
【図１４】図６〜図１０に示す本実施形態の動作を説明するフローチャートである。
【符号の説明】
【００５７】
０１０１…携帯電話アンテナ
０１０２…近距離通信（IrDA or Bluetooth）用アンテナ
０１０３…ＦＭトランスミッタ用アンテナ
０１０４…携帯電話無線部
０１０５…近距離通信（IrDA or Bluetooth）用無線部
０１０６…ＦＭトランスミッタ無線部
０１０７…携帯電話制御部
０１０８…ＦＭトランスミッタ制御部
０１０９…記憶（メモリ）部
０１１０…音声出力部
０１１１…ＬＣＤ表示部
０１１２…ＦＭトランスミッタを有する携帯装置（携帯電話機）
０２０１…ＧＰＳ用アンテナ
０２０２…ＶＩＣＳ用アンテナ
０２０３…近距離通信（IrDA or Bluetooth）用アンテナ
０２０４…ＧＰＳ受信機
０２０５…カーナビゲーション制御部
０２０６…ＶＩＣＳ受信機
０２０７…近距離通信（IrDA or Bluetooth）用無線部
０２０８…ディスプレイ表示部
０２０９…音声出力部
０２１０…キー操作部
０２１１…記憶媒体（DVD or CD or HD）
０２１２…メモリ部
０２１３…本発明を有するカーナビゲーションシステム
０２１４…外部インターフェース
０３０１…本発明を有するカーナビゲーションシステム
０３０２…ＦＭトランスミッタを有する携帯装置（携帯電話機）
０３０３…ＦＭ放送基地局
０３０４…ＦＭラジオ用アンテナ
０３０５…ＦＭラジオ（受信機）
０３０６…車載スピーカ
０３０７…ケーブル
０３０８…本発明によるカーナビシステムを搭載した車両
０４０１…本発明によるカーナビシステムを搭載した車両の現在地
０４０２…現在地のＦＭ放送周波数利用領域
０４０３…近隣地域のＦＭ放送周波数利用領域
０６０１…本発明によるカーナビシステムを搭載した車両の現在地
０６０２…目的地
０６０３…現在地から目的地までのルート
０６０４…通過地域のＦＭ放送周波数利用領域
０８０１…本発明によるカーナビシステムを搭載した車両の現在地
０８０２…目的地
０８０３…現在地から目的地までのルート
０８０４…通過地域のＦＭ放送周波数利用領域
０８０５…近隣地域のＦＭ放送周波数利用領域
【図１】
2007192564.tif 000003
【図２】
2007192564.tif 000004
【図３】
2007192564.tif 000005
【図４】
2007192564.tif 000006
【図５】
2007192564.tif 000007
【図６】
2007192564.tif 000008
【図７】
2007192564.tif 000009
【図８】
2007192564.tif 000010
【図９】
2007192564.tif 000011
【図１０】
2007192564.tif 000012
【図１１】
2007192564.tif 000013
【図１２】
2007192564.tif 000014
【図１３】
2007192564.tif 000015
【図１４】
2007192564.tif 000016